(57)【特許請求の範囲】
【請求項１】
シャフト（１）と筒体（２）を有し、応力吸収機能を備える回転軸（１０）構造であって、
前記シャフト（１）の外縁部は摩擦面（１１）を形成され、前記摩擦面（１１）の片側は位置固定面（１２）を形成され、前記回転軸（１０）の軸心（１３）から前記摩擦面（１１）までの半径は、前記軸心（１３）から前記位置固定面（１２）までの半径より大きく、前記筒体（２）は前記シャフト（１）の片側に基部（２１）を設け、前記基部（２１）は前記位置固定面（１２）と向き合っていて、かつ前記位置固定面（１２）と位置固定の状態に形成され、前記基部（２１）の一端には、寄り掛かり段（２２）、弾性段（２３）と、押さえ段（２４）が延在していて、かつ前記押さえ段（２４）の末端部と前記基部（２１）が前記寄り掛かり段（２２）を離れる遠端は切欠き（２５）が形成され、前記筒体（２）を前記シャフト（１）の外縁部で覆い、前記基部（１２）、前記寄り掛かり段（２２）と前記押さえ段（２４）を前記シャフト（１）に係止して置き、前記弾性段（２３）と前記摩擦面（１１）との間に弾性変形空間（３）が仕切られており、前記シャフト（１）の回動によって、前記位置固定面（１２）と前記筒体（２）の前記基部（２１）が位置固定の状態を離脱したとき、前記シャフト（１）が前記筒体（２）の押さえ段（２４）を押し込み、前記押さえ段（２４）を移動させ、一方、前記弾性段（２３）と前記摩擦面（１１）との間は、前記弾性変形空間（３）が仕切られているため、前記弾性段（２３）が前記シャフト（１）の方向に移動し、前記押さえ段（２４）の移動による応力を吸収する回転軸構造において、
前記シャフト（１）の前記摩擦面（１１）は円弧状を形成され、前記筒体（２）の前記弾性段（２３）は円弧状を形成していて、かつ前記弾性段（２３）の弧度は前記摩擦面（１１）の弧度より小さくすることによって、前記弾性段（２３）と前記摩擦面（１１）との間に、前記弾性変形空間（３）を仕切ることを特徴とする応力吸収機能を備える回転軸構造。
【請求項２】
前記シャフト（１）の前記位置固定面（１２）は平面状を形成し、前記筒体（２）の前記基部（１２）は平板状を形成することを特徴とする、請求項１記載の応力吸収機能を備える回転軸構造。
【請求項３】
前記筒体（２）の前記弾性段（２３）と前記押さえ段（２４）は、前記シャフト（１）が前記基部（２１）を離れる遠端に位置することを特徴とする、請求項１記載の応力吸収機能を備える回転軸構造。
【発明の詳細な説明】
【技術分野】
【０００１】
本発明は、応力吸収機能を備える回転軸構造に関し、特に筒体の移動による応力を分散させ、応力が一カ所への集中による折損を防止する回転軸構造に関する。
【背景技術】
【０００２】
我々の暮らしの中には、回転軸構造が多く使用されている。例えば、ノートパソコン、電子辞書、携帯端末（ＰＤＡ）及び折り畳み式電子製品などは、すべて回転軸構造によって、ベースと上蓋を枢接され、めくりあげと蓋閉めの機能に頼らなければならない。
【発明の概要】
【発明が解決しようとする課題】
【０００３】
図４と５を参照する。図から分かるように、公知技術に使用されている回転軸装置９は、筒体９１と回転軸９２と、を備える。筒体９１は、基部９１１を有し、基部９１１の片側は、係止部９１２を延在され、係止部９１２の末端部は、屈折して押さえ部９１３を形成され、回転軸９２の外縁部は、平面状の位置固定面９２１を設けることによって、回転軸９２が押さえ部９１３の押さえを受けて、位置固定面９２１が基部９１１と真向かいの位置で固定を形成される。
図５に示すように、回転軸９２の回動によって、基部９１１と位置固定面９２１が固定状態を離脱したとき、回転軸９２によって、押さえ部９１３を基部９１１の遠端方向に移動される。このとき、押さえ部９１３の移動による応力は、係止部９１２と押さえ部９１３との連結場所に集中されるが、しかし、係止部９１２と押さえ部９１３との連結場所が回転軸９２の外縁部に寄り掛かるため、移動して応力を吸収することはできなく、応力が放出されない。そこで、回転軸装置９を長時間に使用すると、係止部９１２と押さえ部９１３との連結場所が折損を引き起こす。
【課題を解決するための手段】
【０００４】
本発明の主な目的は、筒体の移動による応力を分散させ、応力が一カ所への集中による折損を防止する。
【０００５】
前述目的を達成するため、本発明の回転軸は、シャフトと筒体と、を備える。シャフトの外縁部は、摩擦面を形成され、摩擦面の片側は、位置固定面を有する。筒体は、シャフトの片側に基部を設けられ、基部は、位置固定面の真向かいに位置し、基部の一端は、寄り掛かり段、弾性段と押さえ段を延在していて、かつ押さえ段の末端部は、基部が寄り掛かり段を離れる遠端において、切欠きを形成することにより、筒体によってシャフトの外縁部を覆い、基部、寄り掛かり段と押さえ段をシャフトに係止していて、弾性段と摩擦面との間は、弾性変形空間を仕切られ、シャフトの回動によって、位置固定面と筒体の基部が位置固定状態を離脱したとき、シャフトが筒体の押さえ段を押し込み移動させ、弾性段をシャフトに移動させ、押さえ段の移動による応力が吸収される。
【図面の簡単な説明】
【０００６】
【図１】本発明の回転軸が閉合状態の側面態様図である。
【図２】本発明の回転軸が旋転状態の側面態様図である。
【図３】本発明の図２Ａの局所拡大図である。
【図４】公知技術の回転軸装置が閉合状態の側面態様図である。
【図５】公知技術の回転軸装置が閉合状態の側面態様図である。
【発明を実施するための形態】
【０００７】
以下、添付図面を参照して本発明の実施の形態を詳細に説明する。
【実施例】
【０００８】
図１ないし図４を参照する。図から明かのように、本発明の回転軸１０は、シャフト１と、筒体２と、を備える。
【０００９】
そのうち、シャフト１の外縁部は、円弧状の摩擦面１１を形成され、摩擦面１１の片側は、平面状の位置固定面１２を形成され、シャフト１の軸心１３から摩擦面１１までの半径は、軸心１３から位置固定面１２の半径より大きい。
【００１０】
筒体２は、平板状の基部２１を設けられ、基部２１の一端は、寄り掛かり段２２、弾性段２３と押さえ段２４と、を連続して延在していて、かつ押さえ段２４の末端部と基部２１は、寄り掛かり段２２を離れる遠端は、切欠き２５を形成されている。
【００１１】
これにより、本発明を組み立てるときは、シャフト１を筒体２の内部に穿設することによって、筒体２をシャフト１の外縁部に覆い、かつ筒体２の基部２１は、シャフト１の下方に位置させ、シャフト１の位置固定面１２と向き合っていて、筒体２の弾性段２３と押さえ段２４は、シャフト１が基部２１の遠端のもう一つの側面に位置することによって、弾性段２３と押さえ段２４をシャフト１の上方側に位置させる。引き続き、筒体２の基部２１、寄り掛かり段２２及び押さえ段２４がシャフト１を係止して置き、弾性段２３は、円弧状を形成していて、かつ弾性段２３の弧度は、シャフト１の摩擦面１１の弧度より小さいため、弾性段２３と摩擦面１１との間は、弾性変形空間３によって仕切られている。
【００１２】
引き続き、図１を参照する。回転軸１０が閉合状態のとき、筒体２の基部２１は、シャフト１の位置固定面１２と向き合っていて、基部２１と位置固定面１２と位置固定の状態が形成される。さらに、シャフト１上方の片側の押さえ段２４がシャフト１の摩擦面１１を押さえる。この押さえ力量とシャフト１の回動方向（図１の破線矢印に示す）とは逆のため、シャフト１に下方への圧力を形成され、シャフト１にさらなるの回動力が与え、シャフト１が安定な位置固定力量を発生し、シャフト１と筒体２との閉合状態を安定に維持できる。
【００１３】
引き続き、図２と図３を参照する。図から明かのように、シャフト１を開き方向に回動されたとき（回動方向は、図２の実線の矢印に示す）、シャフト１の回動によって、位置固定面１２と筒体２の基部２１が位置固定の状態が離脱される。シャフト１の軸心１３から摩擦面１１までの半径は、軸心１３から位置固定面１２の半径より大きいため、位置固定面１２と基部２１が位置固定の状態を離脱したとき、シャフト１が筒体２の押さえ段２４を押し込み、押さえ段２４を基部２１の遠端方向に移動させ、筒体２の弾性段２３と摩擦面１１との間は、弾性変形空間３を仕切られているため、シャフト１が押さえ段２４を押さえて移動させたとき、押さえ段２４の移動による応力は、弾性段２３がシャフト１へ移動によって吸収される。さらに弾性段２３は、円弧状を形成されており、吸収された応力を均一に弾性段２３全体に分散することによって、弾性段２３を弾性変形させ、押さえ段２４の移動による応力を吸収して置き、応力が一カ所への集中による折損を防止できる。
【００１４】
前述とおり、本発明によれば、公知技術の回転軸技術による不足と欠点を解決できる、主な技術は、筒体２の弾性段２３とシャフト１との摩擦面１１との間に、弾性変形空間３を仕切られ、シャフト１と筒体２が位置固定状態を離脱したとき、筒体２の押さえ段２４が発生する応力は、弾性段２３の移動及び弾性変形によって吸収され、応力が一カ所への集中による折損を防止できる。
【符号の説明】
【００１５】
１０    回転軸
１      シャフト
１１    摩擦面
１２    位置固定面
１３    軸心
２      筒体
２１    基部
２２    寄り掛かり段
２３    弾性段
２４    押さえ段
２５    切欠き
３      弾性変形空間
９      回転軸装置
９１    筒体
９１１  基部
９１２  係止部
９１３  押さえ部
９２    回転軸
９２１  位置固定面
【図１】
0005884406.tif 000002
【図２】
0005884406.tif 000003
【図３】
0005884406.tif 000004
【図４】
0005884406.tif 000005
【図５】
0005884406.tif 000006